(57)【特許請求の範囲】
【請求項１】
光源部と、
前記光源部からの光が反射する反射部及び前記反射部で反射した光が通過する枠体部を有する器具本体と、
前記反射部で反射した光を透過させる透光部材とを備え、
前記透光部材は、前記反射部で反射した光が入射する本体部と、前記枠体部の光出射側の開口部から前記枠体部の内面に沿って前記光源部側に向かって延設された延設部とを有し、
前記延設部には、前記器具本体に支持される鍔部が形成されており、
前記鍔部は、前記反射部と前記枠体部とで挟持されている
照明器具。
【請求項２】
前記反射部と前記枠体部とは、ねじによって固定されており、
前記鍔部は、前記反射部及び前記枠体部における前記ねじによって固定された箇所を避けて形成されている
請求項１に記載の照明器具。
【請求項３】
さらに、前記鍔部と前記反射部との間に介在するパッキンを備え、
前記鍔部の前記パッキン部側の面は平面である
請求項１又は２に記載の照明器具。
【請求項４】
光源部と、
前記光源部からの光が反射する反射部及び前記反射部で反射した光が通過する枠体部を有する器具本体と、
前記反射部で反射した光を透過させる透光部材とを備え、
前記透光部材は、前記反射部で反射した光が入射する本体部と、前記枠体部の光出射側の開口部から前記枠体部の内面に沿って前記光源部側に向かって延設された延設部とを有し、
前記延設部には、前記器具本体に支持される鍔部が形成されており、
前記反射部は、前記延設部の内面に沿って前記枠体部の光出射側の開口部に向かって延在する延在部を有し、
前記延設部は、前記延在部で覆われている
照明器具。
【請求項５】
さらに、パッキンを備え、
前記パッキンは、前記鍔部と前記反射部との間に介在する第１パッキン部と、前記第１パッキン部から前記延設部の内面に沿って延設された第２パッキン部とを有する
請求項１又は２に記載の照明器具。
【請求項６】
前記反射部は、前記延設部の内面に沿って前記枠体部の光出射側の開口部に向かって延在する延在部を有し、
前記延設部は、前記第２パッキン部と前記延在部とで覆われている
請求項５に記載の照明器具。
【請求項７】
前記第２パッキン部の表面と前記延在部の表面とは面一である
請求項６に記載の照明器具。
【請求項８】
前記第２パッキン部と前記延在部とは同色である
請求項６又は７に記載の照明器具。
【請求項９】
前記第２パッキン部は、前記延設部の内面から前記反射部の内面にわたって前記延設部と前記反射部とを覆うように形成されている
請求項５に記載の照明器具。
【請求項１０】
前記本体部の外面の少なくとも一部は、前記光源部側に向かって湾曲している
請求項１〜９のいずれか１項に記載の照明器具。
【発明の詳細な説明】
【技術分野】
【０００１】
本発明は、照明器具に関する。
【背景技術】
【０００２】
従来、照明器具として、例えば、ダウンライトのように天井等の被取付部に埋め込み配設されて下方に光を照射する天井埋込型照明器具、又は、地中に埋め込み配設されて上方に光を照射する地中埋込型照明器具等が知られている。
【０００３】
この種の照明器具は、ＬＥＤ（Ｌｉｇｈｔ  Ｅｍｉｔｔｉｎｇ  Ｄｉｏｄｅ）によって構成された光源部と、光の利用効率を高めるために光源部から出射された光を反射させる筒状の反射部と、反射部の光出射側の開口部に配置され且つ天井に取り付けられる枠体部とを備える。
【０００４】
ＬＥＤの光は指向性が強いことから、ＬＥＤを光源とする照明器具では、照明光が眩しく感じたり照度むらが発生したりする。このため、眩しさ及び照度むらを抑制するために、光源部の光出射側に拡散性を有する平板状の透光部材を設ける技術が提案されている（例えば特許文献１）。
【先行技術文献】
【特許文献】
【０００５】
【特許文献１】特開２００９−１８７７７３号公報
【発明の概要】
【発明が解決しようとする課題】
【０００６】
照明器具において照明光の眩しさ及び照度むらを極力抑えるためには、光源部の光出射側に配置した透光部材を一つの擬似光源として見立てるとよい。この場合、反射部の反射面が外部に露出しないように（ユーザから見えないように）、透光部材を可能な限り反射部の光出射側の開口部又は枠体部の開口部に配置して反射部を透光部材で覆う。
【０００７】
この場合、透光部材をそのような位置で支持するためには、反射部の光出射側の開口部又は枠体部の開口部に、内側向き（開口部の中心方向）に突出するフランジ部（鍔部）等の突出構造を設ける必要がある。
【０００８】
しかしながら、このような突出構造を設けると、枠体部から出射する光が突出構造で遮られてしまい、透光部材における発光面積が減少する。この結果、光の取り出し効率が低下するという問題が発生する。
【０００９】
本発明は、このような問題を解決するためになされたものであり、照明光の眩しさ及び照度むらを抑制しつつ、光の取り出し効率の低下を抑制できる照明器具を提供することを目的とする。
【課題を解決するための手段】
【００１０】
上記目的を達成するために、本発明に係る照明器具の一態様は、光源部と、前記光源部からの光が反射する反射部及び前記反射部で反射した光が通過する枠体部を有する器具本体と、前記反射部で反射した光を透過させる透光部材とを備え、前記透光部材は、前記反射部で反射した光が入射する本体部と、前記枠体部の光出射側の開口部から前記枠体部の内面に沿って前記光源部側に向かって延設された延設部とを有し、前記延設部には、前記器具本体に支持される鍔部が形成されている。
【発明の効果】
【００１１】
照明光の眩しさ及び照度むらを抑制しつつ、光の取り出し効率の低下を抑制できる照明器具を実現できる。
【図面の簡単な説明】
【００１２】
【図１Ａ】実施の形態１に係る照明器具を斜め上方から見たときの斜視図である。
【図１Ｂ】実施の形態１に係る照明器具を斜め下方から見たときの斜視図である。
【図２】実施の形態１に係る照明器具の分解斜視図である。
【図３】実施の形態１に係る照明器具の断面図である。
【図４】実施の形態１に係る照明器具において、反射部と枠体部とをねじによって固定された箇所を示す拡大断面斜視図である。
【図５】実施の形態１に係る照明器具における反射部と枠体部と透光部材との分解斜視図である。
【図６】実施の形態１に係る照明器具における反射部と枠体部と透光部材とを組み合わせたときの状態を示す斜視図である。
【図７】実施の形態１の変形例に係る照明器具の断面図である。
【図８】実施の形態２に係る照明器具の断面図である。
【図９】実施の形態３に係る照明器具の断面図である。
【発明を実施するための形態】
【００１３】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１４】
なお、各図は、模式図であり、必ずしも厳密に図示されたものではない。また、各図において、実質的に同一の構成に対しては同一の符号を付しており、重複する説明は省略又は簡略化する。
【００１５】
（実施の形態１）
まず、実施の形態１に係る照明器具１の構成について、図１Ａ、図１Ｂ、図２及び図３を用いて説明する。図１Ａは、実施の形態１に係る照明器具１を斜め上方から見たときの斜視図であり、図１Ｂは、同照明器具１を斜め下方から見たときの斜視図である。また、図２は、同照明器具１の分解斜視図であり、図３は、同照明器具１の断面図である。なお、図２では、ねじは省略している。
【００１６】
本実施の形態に係る照明器具１は、例えば住宅等の建物における天井等の被取付部に埋め込み配設されることにより下方（床や地面、壁等）に光を照明するダウンライト等の埋込型照明器具である。
【００１７】
図１Ａ〜図３に示すように、照明器具１は、光源部１０と、反射部２０及び枠体部３０を有する器具本体２と、透光部材４０とを備える。照明器具１は、さらに、パッキン５０、基台６０、反射部７０、取付部材８１、ホルダ８２、取付バネ９０及びねじ１００を備える。本実施の形態において、反射部２０、枠体部３０及び基台６０は、照明器具１の外郭部材であり、筐体を構成している。以下、照明器具１の各構成部材について詳細に説明する。
【００１８】
［光源部］
光源部１０は、ＬＥＤを有するＬＥＤ光源（ＬＥＤモジュール）である。光源部１０は、例えば白色光を放出する白色ＬＥＤ光源である。光源部１０は、例えば、ＣＯＢ（Ｃｈｉｐ  Ｏｎ  Ｂｏａｒｄ）構造であり、基板と、基板に実装された複数のＬＥＤと、ＬＥＤを封止する封止部材とを有する。
【００１９】
基板は、ＬＥＤを実装するための実装基板であって、例えば、セラミックス基板、樹脂基板又はメタルベース基板等である。なお、基板には、ＬＥＤを発光させるための直流電力を外部から受電するための一対の電極端子と、ＬＥＤを電気的に接続するための所定のパターンの金属配線とが形成されている。
【００２０】
ＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されており、基板に形成されて金属配線によって互いに電気的に接続されている。なお、ＬＥＤは、少なくとも１つ配置されていればよい。
【００２１】
封止部材としては、例えば透光性樹脂が用いられる。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色光を発光する青色ＬＥＤである場合、白色光を得るために、例えばＹＡＧ系の黄色蛍光体を用いることができる。本実施の形態において、封止部材は、全てのＬＥＤを一括封止するように円形状に形成されているが、複数のＬＥＤを列ごとにライン状に封止してもよいし、各ＬＥＤを１つずつ個別に封止してもよい。
【００２２】
このように構成される光源部１０は、図２及び図３に示すように、取付部材８１及びホルダ８２によって基台６０に固定される。取付部材８１及びホルダ８２は、光源部１０を基台６０に取り付けるための部材である。取付部材８１は、光源部１０の基板の主面水平方向の動きを規制するために光源部１０を囲むように形成された絶縁樹脂材料からなる枠体である。取付部材８１は、この取付部材８１に設けられた貫通孔に２本のねじ（不図示）を挿入して基台６０のねじ穴にねじ込むことで基台６０に固定される。ホルダ８２は、光源部１０を保持する機能だけではなく、通電用コネクタとしても機能し、絶縁樹脂製のホルダ本体と、導電性の接続端子とを有する。ホルダ８２は、このホルダ８２及び取付部材８１の各々に設けられた貫通孔にねじ（不図示）を挿入して基台６０のねじ穴にねじ込むことで基台６０に固定される。
【００２３】
なお、光源部１０の基板の電極端子と電源装置（不図示）とはホルダを介して電気的に接続される。電源装置は、例えば、商用電源等の外部電源からの交流電力を、整流、平滑及び降圧等して所定レベルの直流電力に変換し、リード線等の電力線及びホルダ８２を介して当該直流電力を光源部１０に供給する。
【００２４】
［反射部（補助反射板）］
反射部２０は、光源部１０から出射した光を反射させる。つまり、反射部２０では、光源部１０からの光が反射する。図２及び図３に示すように、反射部２０は、筒状の反射体（反射板）であり、光源部１０からの光が入射する入射開口部２１と、入射開口部２１から入射した光が出射する出射開口部２２とを有する。
【００２５】
入射開口部２１は、反射部２０における光源部１０側の端部に設けられた光入射側の開口部（開口）である。本実施の形態において、入射開口部２１は、反射部７０の出射開口部７２を囲むように形成されている。
【００２６】
一方、出射開口部２２は、反射部２０における枠体部３０側の端部に設けられた光出射側の開口部（開口）である。出射開口部２２には、枠体部３０及び透光部材４０が配置される。
【００２７】
また、反射部２０には鍔部２３が設けられている。本実施の形態では、鍔部２３は、出射開口部２２において外方に突出するように形成されている。
【００２８】
反射部２０の内面は、光源部１０からの光を反射させる反射面となっている。具体的には、反射部２０の内面は、反射部７０で反射した光を反射させる。本実施の形態において、反射部２０は、光の利用効率を高めるために光源部１０から出射された光を反射させている。つまり、反射部２０は、照明器具１の補助反射板（補助反射部材）として機能し、光源部１０からの直接光の配向制御は積極的には行っていない。反射部２０で反射した光は、透光部材４０に入射する。
【００２９】
反射部２０は、アルミニウム又は鉄等の金属材料によって形成されており、例えば金属板にプレス加工等を施すことによって作製することができる。本実施の形態において、反射部２０の全体形状は、底部がドーナツ状に形成された有底円筒形状（カップ形状）である。なお、反射部２０は、金属材料に限るものではなく、ポリブチレンテレフタレート（ＰＢＴ）等の樹脂材料によって形成されていてもよい。この場合、反射部２０は、硬質の白色樹脂材料によって形成するとよい。
【００３０】
このように構成される反射部２０は、図１Ａ及び図１Ｂに示すように、ねじ１００によって枠体部３０に固定される。なお、図示しないが、反射部２０は、基台６０に対してもねじによって固定される。つまり、反射部２０、枠体部３０及び基台６０は、ねじによって互いに連結されて固定されている。
【００３１】
［枠体部］
枠体部３０は、反射部２０で反射した光が通過する筒状の枠体である。図２及び図３に示すように、枠体部３０は、光源部１０側端部に設けられた第１開口部３１と、透光部材４０側端部に設けられた第２開口部３２とを有する。
【００３２】
第１開口部３１は、枠体部３０における光源部１０側の端部に設けられた光入射側の開口部（開口）である。一方、第２開口部３２は、枠体部３０の光出射側の端部に設けられた光出射側の開口部（開口）である。
【００３３】
枠体部３０は、透光部材４０を囲むように構成されている。本実施の形態において、枠体部３０は、２重の壁部によって構成されており、透光部材４０の延設部４２を囲む円筒状の内壁部３３と、内壁部３３を囲む円筒状の外壁部３４とを有する。
【００３４】
また、枠体部３０は、径方向の外向きに突出するフランジ部３５を有する。照明器具１を天井の開口部に配設する際、このフランジ部３５を天井面に係止させて照明器具１を天井に固定する。
【００３５】
図４〜図６に示すように、内壁部３３と外壁部３４との間には、ねじ穴部３６が設けられている。図４は、反射部２０と枠体部３０とをねじ１００によって固定された箇所を示す拡大断面斜視図である。図５は、反射部２０と枠体部３０と透光部材４０との分解斜視図であり、図６は、反射部２０と枠体部３０と透光部材４０とを組み合わせたときの状態を示す斜視図である。
【００３６】
本実施の形態において、ねじ穴部３６は、枠体部３０の周方向に沿って等間隔で３つ設けられている。図４に示すように、枠体部３０と反射部２０とは、反射部２０に設けられた貫通孔にねじ１００を挿入し、このねじ１００を枠体部３０のねじ穴部３６にねじ込むことで固定されている。
【００３７】
このように構成される枠体部３０は、例えば、アルミニウム等の金属材料で形成することができる。なお、枠体部３０の材質は、金属材料に限るものではなく、樹脂材料であってもよい。
【００３８】
また、図５に示すように、枠体部３０には、取付バネ９０が取り付けられている。取付バネ９０は、照明器具１を天井等の被取付部に取り付けるための弾性部材であり、例えば板バネ構造を有する。本実施の形態では、３つの取付バネ９０が枠体部３０の外壁部３４の外周面に取り付けられている。取付バネ９０は、例えば、鉄などの金属板によって形成される。
【００３９】
［透光部材］
透光部材４０は、透光性を有する部材によって構成された光学部品である。透光部材４０は、例えば、アクリルやポリカーボネート等の透明樹脂材料又はガラス材料等の透光性材料によって構成される。
【００４０】
本実施の形態において、透光部材４０は、さらに、光拡散性を有する。光拡散性を有する透光部材４０としては、例えば、光拡散材が内部に分散された乳白色の拡散パネルを用いることができる。このような透光部材４０は、光拡散材を混合した透明樹脂材料（基材）を所定形状に樹脂成型することによって作製することができる。光拡散材としては、シリカ粒子等の光反射性粒子を用いることができる。
【００４１】
図３に示すように、透光部材４０は、光源部１０と対向する位置に配置されており、光源部１０からの光を透過する。透光部材４０は、反射部２０で反射した光を透過させる。本実施の形態において、透光部材４０は、反射部２０からの反射光だけではなく、光源部１０からの直接光及び反射部７０からの反射光も透過させる。
【００４２】
透光部材４０は、本体部４１と、延設部４２と、鍔部４３とを有する。本体部４１には、反射部２０で反射した光が入射する。また、本体部４１には、反射部２０で反射した反射光だけではなく、光源部１０からの直接光及び反射部７０で反射した光も入射する。
【００４３】
本体部４１の外周端部は、枠体部３０の第２開口部３２に位置する。具体的には、本体部４１の外周端部の外面と枠体部３０のフランジ部３５の表面とが面一となっている。これにより、透光部材４０と枠体部３０との接続部分の高低差をなくすことができるので、意匠性を向上させることができる。
【００４４】
また、本体部４１は、外面の少なくとも一部が光源部１０側に向かって湾曲している。本実施の形態では、本体部４１の厚さはほぼ一定であり、本体部４１の外面も内面も光源部１０に向かって湾曲している。つまり、本体部４１の全体が光源部１０に向かって突出するように凹んでいる。より具体的には、本体部４１は、外面及び内面の各々が連続する滑らかな湾曲面で構成された略椀形状であり、中央部が光源部１０に最も近づくように湾曲している。
【００４５】
また、本体部４１は、反射部２０の内面に近づくように湾曲している。具体的には、本体部４１は、光源部１０側に向かって枠体部３０を超えて反射部２０に囲まれる位置にまで存在するように湾曲している。つまり、本体部４１の中央部は、反射部２０の内部に位置する。なお、本体部４１によって反射部２０の反射面（内面）が外部に露出しないようになっている。つまり、ユーザからは反射部２０の反射面が見えないようになっっている。
【００４６】
延設部４２は、本体部４１の端部から光源部１０に向かって折り返された折り返し部であり、枠体部３０の光出射側の開口部である第２開口部３２から枠体部３０の内面に沿って光源部１０側に向かって延設されている。このように、延設部４２を折り返して形成することで、透光部材４０と枠体部３０との接続部分の高低差を簡単になくすことができ、透光部材４０の端部と枠体部３０の端部との高さ位置を容易に合わせることができる。
【００４７】
本実施の形態において、延設部４２は、枠体部３０の内壁部３３の内面に当接するように、透光部材４０の端部に枠状に形成されている。延設部４２の高さと枠体部３０の内壁部３３の高さとはほぼ同じである。これにより、図３〜図６に示すように、枠体部３０は、延設部４２の外面に沿うように延設部４２に嵌め込まれる。
【００４８】
図２及び図３に示すように、延設部４２には、鍔部４３が形成されている。具体的には、鍔部４３は、延設部４２の光源部１０側の端部から外方に突出するように形成されている。また、鍔部４３には枠体部３０が乗せられている。具体的には、鍔部４３には枠体部３０の内壁部３３の光源部１０側の端部が当接している。
【００４９】
鍔部４３は、器具本体２に支持される。このように鍔部４３が器具本体２に支持されることで、透光部材４０が器具本体２に固定される。本実施の形態において、鍔部４３は、器具本体２を構成する反射部２０と枠体部３０とに挟持されることで反射部２０と枠体部３０とに支持されている。一例として、鍔部４３は、反射部２０に設けられた鍔部２３と枠体部３０の内壁部３３とに挟持されている。
【００５０】
本実施に形態では、透光部材４０の鍔部４３と反射部２０の鍔部２３との間にはパッキン５０が挿入されており、鍔部４３だけではなくパッキン５０も反射部２０の鍔部２３と枠体部３０の内壁部３３とで挟持されている。鍔部４３及び鍔部２３のパッキン５０側の面は平面である。
【００５１】
また、上述のとおり、反射部２０と枠体部３０とはねじ１００によって固定されているが、図４〜図６に示すように、鍔部４３は、反射部２０及び枠体部３０におけるねじ１００によって固定された箇所を避けて形成されている。具体的には、鍔部４３は、枠体部３０のねじ穴部３６を避けるようにして透光部材４０の外周に沿って断続的に複数片形成されている。本実施の形態では、鍔部４３は６つ形成されている。また、延設部４２の高さは、ねじ穴部３６にねじ１００をねじ込む分だけの長さがあればよい。
【００５２】
このように構成される透光部材４０（本体部４１）は透光性及び光拡散性を有するので、透光部材４０に入射した光は、透光部材４０内で拡散及び透光部材４０内を導光して透光部材４０を透過して出射する。つまり、透光部材４０は、指向性の強いＬＥＤからの光を拡散及び導光させるので、透光部材４０（本体部４１）全体が擬似発光する発光部として機能する。
【００５３】
なお、本実施の形態では、透光部材４０の全体が透光性及び拡散性を有しているが、少なくとも本体部４１が透光性及び拡散性を有していれば、延設部４２及び鍔部４３は透光性及び拡散性を有していなくてもよい。
【００５４】
また、光拡散性を有する透光部材４０は、内部に光拡散材を分散させるものに限らず、透明部材の表面（内面又は外面）に光拡散材等を含む乳白色の光拡散膜を形成することでも実現することができる。また、光拡散材を用いるのではなく、シボ加工等の表面処理を施すことで透明部材の表面に微小凹凸を形成したり、透明部材の表面にドットパターンを印刷したりすることでも光拡散性を有する透光部材４０を実現することができる。これらの場合、表面に凹凸又はドットパターンを形成した透明部材に対してさらに光拡散材を含有させてもよい。
【００５５】
［パッキン］
パッキン５０及び５５は、エラストマー（ｅｌａｓｔｏｍｅｒ）等の弾性を有する樹脂材料で構成された円環状部材である。本実施の形態において、パッキン５０及び５５は、シリコーンゴムによって平面薄板状に形成されている。
【００５６】
図３に示すように、パッキン５０は、透光部材４０と反射部２０との間に介在する。具体的には、パッキン５０は、透光部材４０の鍔部４３と反射部２０の鍔部２３との間に介在しており、鍔部４３と鍔部２３とで挟持されている。鍔部４３及び鍔部２３のパッキン５０側の面は平面であるので、パッキン５０と鍔部４３及び鍔部２３とは面接触している。
【００５７】
パッキン５５は、基台６０と反射部２０との間に介在し、基台６０と反射部２０とで挟持されている。具体的には、パッキン５０は、基台６０の反射部２０側端部と反射部２０の裏面との間に介在している。
【００５８】
パッキン５０及び５５を設けることで、水分又は埃が部材間の隙間から内部に進入することを抑制できるので、防水性及び防塵性を向上させることができる。また、パッキン５０及び５５を設けることで光源部１０からの光が外部に漏れることを抑制できる。
【００５９】
［基台］
図３に示すように、基台６０は、光源部１０が取り付けられる取付台である。また、基台６０は、光源部１０で発生する熱を放熱するヒートシンクとしても機能する。したがって、基台６０は、金属材料によって形成するとよく、例えばアルミダイカスト製である。本実施の形態では、放熱性を良くするために、基台６０には複数の放熱フィンが設けられている。なお、本実施の形態において、基台６０は、器具本体２の一部である。
【００６０】
［反射部（主反射板）］
反射部７０は、筒状の反射体（反射板）であり、図２及び図３に示すように、光源部１０からの光が入射する入射開口部７１と入射開口部７１から入射した光が出射する出射開口部７２とを有する。入射開口部７１は、光源部１０を囲むように形成されている。出射開口部７２の開口の大きさは、入射開口部７１の開口の大きさよりも大きくなっている。反射部７０の内面は、光源部１０からの光を反射させる反射面となっている。
【００６１】
本実施の形態において、反射部７０は、配光制御機能を有しており、光源部１０から出射した光を所望の方向に向くように制御している。つまり、反射部７０は、照明器具１の主反射板（主反射部材）として機能する。反射部７０は、例えば、光源部１０から出射した光が透光部材４０に入射するように配光制御している。
【００６２】
反射部７０は、例えば、ＰＢＴ等の樹脂材料によって形成されている。具体的には、反射部７０は、硬質の白色樹脂材料によって形成されている。なお、反射部７０は、アルミニウム等の金属材料によって形成されていてもよい。
【００６３】
このように構成される反射部７０は、取付部材８１に固定される。具体的には、反射部７０に形成された切り欠き部と取付部材８１に設けられた爪部とを係止することで、反射部７０が取付部材８１に固定されている。
【００６４】
［作用効果等］
本実施の形態における照明器具１では、擬似光源として光源部１０の光出射側に透光部材４０を配置しているので、照明器具１における照明光の眩しさ及び照度むらを抑制することができる。
【００６５】
さらに、照明器具１では、透光部材４０が、反射部２０で反射した光が入射する本体部４１と、枠体部３０の光出射側の開口部（第２開口部３２）から枠体部３０の内面に沿って光源部１０側に向かって延設された延設部４２とを有している。さらに、延設部４２には、器具本体２に支持される鍔部４３が形成されている。
【００６６】
この構成により、器具本体２に対する透光部材４０の支持を延設部４２と鍔部４３とによって行うことができるので、枠体部３０の第２開口部３２から出射する光が透光部材４０の支持構造で遮られることを回避することができる。つまり、透光部材４０における発光面積が減少することを回避できる。これにより、枠体部３０の第２開口部３２の開口径を最大化させて、透光部材４０の発光面積を最大化させることができる。この結果、光の取り出し効率が低下することを抑制できる。
【００６７】
このように、本実施の形態における照明器具１によれば、照明光の眩しさ及び照度むらを抑制しつつ、光の取り出し効率の低下を抑制できる照明器具を実現できる。
【００６８】
しかも、本実施の形態における照明器具１では、延設部４２の長さを適宜調整することによって、枠体部３０の第２開口部３２の開口面に対する透光部材４０の位置を容易に調整することができる。これにより、ユーザのニーズに合わせて照明器具１の設計自由度を高めることができる。
【００６９】
また、本実施の形態における照明器具１では、透光部材４０の鍔部４３が反射部２０と枠体部３０とで挟持されている。
【００７０】
この構成により、反射部２０と枠体部３０とで透光部材４０を固定することができるので、透光部材４０を器具本体２に簡易な構造で且つ簡単に支持させることができる。
【００７１】
なお、反射部２０と枠体部３０とで鍔部４３を挟持する場合、反射部２０と枠体部３０との間には鍔部４３以外の別の部材が存在していてもよい。つまり、鍔部４３は、反射部２０と枠体部３０とによって直接的に挟持されることに限らず、間接的に挟持されていてもよい。本実施の形態では、鍔部４３は間接的に挟持されている。具体的には、反射部２０と枠体部３０との間に鍔部４３とパッキン５０とが挿入された状態で、鍔部４３は反射部２０と枠体部３０とで挟持されている。
【００７２】
また、本実施の形態における照明器具１では、反射部２０と枠体部３０とは、ねじ１００によって固定されており、鍔部４３は、反射部２０及び枠体部３０におけるねじ１００によって固定された箇所を避けて形成されている。
【００７３】
この構成により、反射部２０と枠体部３０とを固定する際に、鍔部４３にねじ穴を設ける等の特別な加工を施す必要がなくなるので、低コスト化を図ることができる。
【００７４】
また、本実施の形態における照明器具１では、透光部材４０の鍔部４３のパッキン５０側の面が平面となっている。
【００７５】
この構成により、パッキン５０と鍔部４３との密着性を高めることができる。これにより、光源部１０に対する防水性及び防塵性を向上させることができる。また、光源部１０から出射する光の光漏れを抑制することができる。
【００７６】
また、本実施の形態における照明器具１では、透光部材４０の本体部４１の外面の少なくとも一部が光源部１０側に向かって湾曲している。
【００７７】
この構成により、照明器具１の照明光の照射領域を透光部材４０で覆ってるにもかかわらずユーザに立体感を感じさせることができ、意匠性に優れた照明器具を実現することができる。
【００７８】
（実施の形態１の変形例）
図７は、実施の形態１の変形例に係る照明器具１Ａの断面図である。
【００７９】
図７に示すように、本変形例に係る照明器具１Ａは、反射部２０Ａが延在部２４を有する点で、上記実施の形態１に係る照明器具１と異なる。
【００８０】
延在部２４は、反射部２０Ａの出射開口部２２が枠体部３０の第２開口部３２に向かって延長された部分であり、透光部材４０の延設部４２の内面に沿って枠体部３０の第２開口部３２（光出射側の開口部）に向かって延在するように形成されている。つまり、延在部２４は、透光部材４０の延設部４２に対応する位置に形成された壁部である。
【００８１】
透光部材４０の延設部４２は、この延在部２４で覆われている。具体的には、延設部４２の内面は、反射部２０Ａの延在部２４のみで覆われている。
【００８２】
以上、本変形例における照明器具１Ａでは、反射部２０Ａは、透光部材４０の延設部４２の内面に沿って枠体部３０の第２開口部３２に向かって延在する延在部２４を有し、延設部４２が延在部２４で覆われている。
【００８３】
この構成により、反射部２０Ａ及び枠体部３０（内壁部３３）によって透光部材４０に発生する光ムラを軽減することができる。
【００８４】
つまり、反射部２０Ａの内面と枠体部３０（内壁部３３）の内面とに反射率差が存在すると、この反射率差によって透光部材４０に光ムラが発生することになる。特に、透光部材４０の本体部４１が光源部１０に向かって湾曲していると、本体部４１が反射部２０及び枠体部３０（内壁部３３）に近づくことになる。このため、反射部２０と枠体部３０（内壁部３３）との反射率差によって透光部材４０に発生する光ムラが目立つことになる。
【００８５】
これに対して、本変形例のように、反射部２０Ａに延在部２４を設けることによって、反射部２０Ａ及び枠体部３０を延在部２４で覆うことができる。これにより、反射部２０Ａ及び枠体部３０（内壁部３３）の反射率差によって透光部材４０に光ムラが発生することを軽減できる。
【００８６】
（実施の形態２）
次に、実施の形態２に係る照明器具１Ｂについて、図８を用いて説明する。図８は、実施の形態２に係る照明器具１Ｂの断面図である。
【００８７】
図８に示すように、本実施の形態における照明器具１Ｂが実施の形態１における照明器具１と異なる点は、反射部２０Ｂとパッキン５０Ｂの構成である。
【００８８】
本実施の形態では、反射部２０Ｂは、実施の形態１の反射部２０に対して、さらに、延在部２４を有する。延在部２４は、実施の形態１の変形例における延在部２４と同様に、反射部２０Ｂの出射開口部２２が枠体部３０の第２開口部３２に向かって延長された部分であり、透光部材４０の延設部４２の内面に沿って枠体部３０の第２開口部３２（光出射側の開口部）に向かって延在するように形成されている。なお、反射部２０Ｂの全体形状は、漏斗状である。
【００８９】
また、本実施の形態では、パッキン５０Ｂは、透光部材４０の鍔部４３と反射部２０との間に介在する第１パッキン部５１と、第１パッキン部５１から延設部４２の内面に沿って延設された第２パッキン部５２とを有する。つまり、透光部材４０の延設部４２は、第２パッキン部５２と反射部２０の延在部２４とで覆われている。
【００９０】
第２パッキン部５２の表面と反射部２０の延在部２４の表面とは面一になっている。本実施の形態において、第２パッキン部５２の表面の曲率と延在部２４の表面の曲率とが同じになっており、第２パッキン部５２の表面と延在部２４の表面とがひと続きの１つの曲面をなすように構成されている。
【００９１】
第２パッキン部５２は、一部が反射部２０の延在部２４と枠体部３０の内壁部３３との間に存在して隠されており、他の一部が延在部２４で隠されておらず露出している。第２パッキン部５２と反射部２０の延在部２４とは同色にするとよい。つまり、第２パッキン部５２の露出部分の表面と延在部２４の表面とは同色にするとよい。第２パッキン部５２と反射部２０の延在部２４の色は、例えば白色であるが、これに限るものではない。
【００９２】
以上、本実施の形態に係る照明器具１Ｂによれば、パッキン５０Ｂは、透光部材４０の鍔部４３と反射部２０との間に介在する第１パッキン部５１と、第１パッキン部５１から透光部材４０の延設部４２の内面に沿って延設された第２パッキン部５２とを有する。さらに、本実施の形態では、透光部材４０の延設部４２第２パッキン部５２と反射部２０の延在部２４とで覆われている。
【００９３】
この構成により、透光部材４０の延設部４２が第２パッキン部５２で覆われるので、反射部２０及び枠体部３０（内壁部３３）の内面の反射率差によって透光部材４０に光ムラが発生することを軽減できる。
【００９４】
さらに、本実施の形態では、第２パッキン部５２の表面と延在部２４の表面とが面一である。
【００９５】
この構成により、第２パッキン部５２と延在部２４とで枠体部３０の内壁部３３を覆うことで透光部材４０に発生する光ムラを軽減することができる。
【００９６】
さらに、本実施の形態では、第２パッキン部５２と延在部２４とが同色である。
【００９７】
この構成により、第２パッキン部５２の内面と延在部２４の内面との反射率を同程度にすることができ、第２パッキン部５２及び延在部２４の反射率差によって透光部材４０に光ムラが発生することを軽減できる。
【００９８】
（実施の形態３）
次に、実施の形態３に係る照明器具１Ｃについて、図９を用いて説明する。図９は、実施の形態２に係る照明器具１Ｃの断面図である。
【００９９】
図９に示すように、本実施の形態における照明器具１Ｃが実施の形態１における照明器具１と異なる点は、パッキン５０Ｃの構成である。なお、反射部２０の全体形状も異なっており、本実施の形態では、略漏斗状である。
【０１００】
本実施の形態において、パッキン５０Ｃは、透光部材４０の鍔部４３と反射部２０との間に介在する第１パッキン部５１と、第１パッキン部５１から透光部材４０の延設部４２及び反射部２０の内面に沿って延設された第２パッキン部５２とを有する。つまり、第２パッキン部５２は、透光部材４０の延設部４２の内面から反射部２０の内面にわたって延設部４２と反射部２０との広い領域を覆うように形成されている。なお、本実施の形態において、パッキン５０Ｃは、白色である。
【０１０１】
以上、本実施の形態に係る照明器具１Ｃによれば、第２パッキン部５２は、延設部４２の内面から反射部２０の内面にわたって延設部４２と反射部２０とを覆うように形成されている。
【０１０２】
この構成により、反射部２０及び枠体部３０（内壁部３３）の内面の反射率差によって透光部材４０に光ムラが発生することを軽減できる。
【０１０３】
（その他の変形例等）
以上、本発明に係る照明器具について、実施の形態１〜３に基づいて説明したが、本発明は、これらの実施の形態に限定されるものではない。
【０１０４】
例えば、上記の各実施の形態において、透光部材４０の本体部４１は湾曲していたが、これに限るものではなく、本体部４１は、湾曲していない平面状のフラットパネルであってもよい。
【０１０５】
また、上記の各実施の形態において、補助反射板である反射部２０と主反射板である反射部７０とを別々の部品としたが、これに限るものではない。具体的には、補助反射板と主反射板とが一体的に構成された１つの反射部であってもよい。
【０１０６】
また、上記の各実施の形態において、光源部１０の光出射側の位置に、光源部１０の光の配光を制御するための配光制御部材を配置してもよい。例えば、このような配光制御部材として凸レンズ等のレンズを光源部１０と透光部材４０との間に配置してもよい。また、配光制御部材を別途設けるのではなく、透光部材４０に配光制御機能を持たせてもよい。
【０１０７】
また、上記の各実施の形態において、光源部１０は、青色ＬＥＤと黄色蛍光体とによって白色光を放出するように構成したが、これに限らない。例えば、赤色蛍光体及び緑色蛍光体を含有する蛍光体含有樹脂を用いて、これと青色ＬＥＤと組み合わせることによりに白色光を放出するように構成しても構わない。
【０１０８】
また、上記の各実施の形態において、ＬＥＤとして、青色ＬＥＤを用いたが、これに限らない。例えば、ＬＥＤとしては、青色以外の色を発光するＬＥＤを用いても構わない。この場合、蛍光体としては、ＬＥＤに応じて適宜選択すればよい。
【０１０９】
また、上記の各実施の形態において、光源部１０（ＬＥＤ光源）は基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【０１１０】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のその他の固体発光素子を用いてもよい。
【０１１１】
また、上記の各実施の形態における照明器具は、天井以外の被取付部に設置されていてもよい。また、本発明は、ダウンライト以外の照明器具にも適用することができる。
【０１１２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１３】
１、１Ａ、１Ｂ、１Ｃ  照明器具
２  器具本体
１０  光源部
２０、２０Ａ  反射部
２４  延在部
３０  枠体部
４０  透光部材
４１  本体部
４２  延設部
４３  鍔部
５０、５０Ｃ  パッキン
５１  第１パッキン部
５２  第２パッキン部
１００  ねじ
【図１Ａ】
0006555578.tif 000002
【図１Ｂ】
0006555578.tif 000003
【図２】
0006555578.tif 000004
【図３】
0006555578.tif 000005
【図４】
0006555578.tif 000006
【図５】
0006555578.tif 000007
【図６】
0006555578.tif 000008
【図７】
0006555578.tif 000009
【図８】
0006555578.tif 000010
【図９】
0006555578.tif 000011